(57)【要約】【課題】透明もしくは半透明の宝石の背面全体もしくは背面の一部に、紫外線に反応して発光する塗料を塗布し、当該透明もしくは半透明の宝石を宝石の台座に取り付けることにより、宝石を紫外線を照射して充分に光らせるようにした装身具を提供することを目的とする。【解決手段】透明もしくは半透明の宝石の背面全体もしくは背面の一部に、紫外線に反応して発光する塗料を塗布し、当該透明もしくは半透明の宝石を台座に取り付けたことを特徴とする発光装身具。【選択図】      図１
0003123920.tif 000002
【実用新案登録請求の範囲】
【請求項１】
透明もしくは半透明の宝石の背面全体もしくは背面の一部に、紫外線に反応して発光する塗料を塗布し、当該透明もしくは半透明の宝石を台座に取り付けたことを特徴とする発光装身具。
【請求項２】
紫外線に反応して発光する塗料が、蓄光機能をも備えていることを特徴とする請求項１に記載の発光装身具。
【考案の詳細な説明】
【技術分野】
【０００１】
この考案は、透明もしくは半透明の宝石の背面全体もしくは背面の一部に、紫外線に反応して発光する塗料を塗布し、当該透明もしくは半透明の宝石を宝石の台座に取り付けた発光装身具に関する。
【背景技術】
【０００２】
従来、この種の装身具に発光体を用いた例としては、発光ダイオードを用いたものとして特開昭５２−１５６０５３号公報（特許文献１参照）に示された装飾用アクセサリーがある。これは乾電池を発光ダイオードの電源とし、スイッチの操作により発光ダイオードを発光させることによって装飾効果を発揮させている。また、蓄光塗料を用いたものとしては、実開昭５９−９１１２５号公報（特許文献２参照）に示されたアクセサリー部材があり、これは着色蓄光塗料を装飾体表面に塗着して色彩的効果をもたらしていた。
【０００３】
さらに紫外線で発光する装身具としては、特開平１０−２０１５０９号公報（特許文献３参照）に示された宝飾品があり、これは台金上に同一の種類であってほぼ同一形状の宝玉を複数個配列して成る宝飾品において、光学的に性質の異なる複数群の宝玉を用い、前記複数群の宝玉を相互に所定の配列とすることによって光線が当ったときに所定の表示が行なわれるようにしたことを特徴とするものである。
【特許文献１】特開昭５２−１５６０５３号公報
【特許文献２】実開昭５９−９１１２５号公報
【特許文献３】特開平１０−２０１５０９号公報
【考案の開示】
【考案が解決しようとする課題】
【０００４】
しかしながら、従来の発光ダイオードを用いたものは、装置が大型化してしまい、発光が強すぎるという欠点がある。そもそも乾電池を用いることは玩具的要素が強く、一般常識的には貴金属製宝飾品、装身具には受け入れられない。また着色蓄光塗料を装飾体表面に塗装するものは、本件の考案とはとはまったく別の種類の製品である。
【０００５】
また、実開平７−２３４１６号公報に見られるように、宝石の裏面に蓄光塗料を塗着して、宝石の内部から柔らかく発光させることにより、宝石が本来有する色彩と蓄光塗料による発光色とが微妙に作用して、球面または平面を有する宝石の表面において、自然な色彩的変化をもたらすようにしたものが提案されている。しかしながら宝石の裏面に蓄光塗料を塗着したものにおいては、明るい場所で見ると、宝石を通じて塗装面がノッペリと見えてしまうので、高級感を得ることができないという欠点があった。したがって、貴金属素材の宝飾品（ジュエリー）としては問題があり、宝石自体のカットもカボションカットに限定されてしまう。そして多数派であるラウンドカットにはまったく適していない。
【０００６】
さらに、特開平１０−２０１５０９号公報に示されたような、光学的に性質の異なる複数群の宝玉を用いたものにおいては、紫外線で発光する宝石の性質を揃えることが難しく、実際には所望の表示を得ることができないという欠点があった。また紫外線によって充分な発光を得られる宝石が得にくいという問題があり、これが紫外線で発光する装身具であるとして充分な商品価値を有するものを提案することができないのが実情であった。
【０００７】
そこでこの考案は、透明もしくは半透明の宝石の背面全体もしくは背面の一部に、紫外線に反応して発光する塗料を塗布し、当該透明もしくは半透明の宝石を宝石の台座に取り付けることにより、宝石を紫外線を照射して充分に光らせるようにした装身具を提供することを目的とするものである。
さらに宝石のカットも、カボションカット、ラウンドカット、スクウェアカット等、様々な種類に適用可能である。
【課題を解決するための手段】
【０００８】
すなわちこの考案の発光装身具は、透明もしくは半透明の宝石の背面全体もしくは背面の一部に、紫外線に反応して発光する塗料を塗布し、当該透明もしくは半透明の宝石を台座に取り付けたことを特徴とするものである。
【０００９】
またこの考案の発光装身具は、上記紫外線に反応して発光する塗料が、蓄光機能をも備えていることを特徴とするものである。
【考案の効果】
【００１０】
この考案の紫外線で発光する装身具は以上のように構成したことにより、太陽光線、蛍光灯などが発した紫外線が宝石を透過し、台座内の宝石の裏面に塗布した、紫外線に反応して発光する塗料に吸収され、それに基づき紫外線に反応して発光する特性のある塗料が発光する。このようにして発光した光は、石留めされている宝石を透過して外部に出ていく。したがって、外部から見ると宝石が光っているように見えるのである。
すなわち、宝石の裏面に紫外線に反応して発光する特性のある塗料が塗布してあることにより、宝石が紫外線で発光するか否かにかかわらず、太陽光線、蛍光灯などの光で確実に宝石が光って見える装身具を提供することが可能となったのである。
【００１１】
上記紫外線に反応して発光する特性のある塗料は、紫外線をエネルギー源として発光を常時行なっているため、明るい場所で見た際は、宝石が持つ本来の色彩、輝きに、紫外線に反応して発光する特性のある塗料が発光する光が加わり、宝石に微妙で複雑な色彩を与えることができる。また、紫外線吸収を受けずに発光が納まると、宝石本来の色調に戻り、その変化も楽しめる。もちろん、蛍光灯等の下での薄暗い場所で見た際にも宝石が光って見えるので、幻想的な雰囲気を楽しむことができるのである。
【考案を実施するための最良の形態】
【００１２】
以下に、この考案の発光装身具の実施の形態を、図面に基いて詳細に説明する。
図１はこの考案の発光装身具を指輪等のパーツに適用した実施例を示す概略断面図、図２は宝石部分の側面図である。
【００１３】
この考案を指輪等のパーツに適用した図１および図２において、指輪等のパーツ１は、有底で筒状をなす台座３と、この台座３に取り付けたダイヤモンド等の宝石５と、宝石５の背面に塗布した紫外線に反応して発光する特性のある塗料層７とで構成されている。
そして上記台座３の上面の段差部分１１に、背面に上記塗料層７を形成した宝石５を収納保持し、台座３に設けた爪９等で固着している。
【００１４】
このように構成した指輪等のパーツ１は、指輪やペンダント、ブローチ等に設けた凹所に収納して固定し、指輪やペンダント、ブローチ等の装身具として利用することができる。無論、上記台座３をそのまま指輪の台座に適用し、指輪のリング部分と一体化して指輪とすることも可能であり、同様にしてペンダント、ブローチ等の装身具として利用することができる。
その際に使用する宝石５としては、ダイヤモンドやサファイヤ、ルビー、水晶、その他合成宝石等が利用でき、透明もしくは半透明であることが必要である。不透明である時には発光装身具として活用することができない。
【００１５】
上記宝石５の背面には、紫外線に反応して発光する特性のある塗料層７が塗布してあるので、太陽光線や蛍光灯にしばらくあてることにより、塗料層７が紫外線のエネルギーを吸収して宝石５の背面において発光する。このようにして発光した光は、石留めされている宝石５を透過して外部に出ていく。すなわち、外部から見ると宝石５が光っているように見える。なお上記宝石５の形状は、この実施例ではブリリアントカットである。
【００１６】
図１および図２に示すように、上記宝石５の背面は極端に凹凸のない方が塗料層７を形成する上で望ましいが、発光性シール等を利用する場合のように、完全にフラットである必要はない。
【００１７】
上記紫外線に反応して発光する特性のある塗料を宝石５に適用するに際しては、液状塗料中に宝石５を浸漬したり、刷毛等で塗布したり、また噴霧器で噴霧すること等によって塗料層７を形成してもよい。
【００１８】
上記指輪等のパーツ１の組み付けに際しては、先ず宝石５の背面に塗料層７を上記手段によって形成し、塗料層７が完全に乾燥した状態で台座３の段差部分１１に宝石５を収納する。次いで爪９を宝石５のクラウン部分に倒して爪止めすることによってくみつけが完了する。
この宝石５の取付作業に際しては、塗料層７に傷を付けたり、塗料層７の端部が台座３からはみ出さないように注意する必要がある。
【００１９】
もちろん宝石５の取付けに際しては、上記爪７を用いた爪止め、伏せ込み、レール止め、彫り止めその他の一般的な、あるいは特殊な止め方で宝石５を台座３に石留めすることにより確実に固定すればよい。
【産業上の利用可能性】
【００２０】
上記実施例ではこの考案の発光装身具を指輪等に適用した場合について説明したが、ペンダントやブローチ、イヤリング、ピアスその他の装身具のみならず、腕時計や眼鏡等にも適用することができるのはいうまでもない。また宝石５や台座３、塗料層７等の形態も様々な手段を採用することができる。
【図面の簡単な説明】
【００２１】
【図１】この考案の発光装身具を指輪等のパーツに適用した実施例を示す概略断面図である。
【図２】宝石部分の側面図である。
【符号の説明】
【００２２】
１  指輪等のパーツ
３  台座
５  宝石
７  塗料層
９  爪
１１  段差部分
【図１】
0003123920.tif 000003
【図２】
0003123920.tif 000004